(57)【要約】【課題】  少ない数の和音指定用操作子で和音を簡単に指定できるようにする。【解決手段】  棹部１０と胴部２０を有する楽器において、棹部１０の上面に幹音A，B，C，D，E，F，Gをそれぞれ指定する幹音指定操作子１３−１〜１３−７からなる基本コード指定部１３が配置されるとともに、棹部１０の側面に幹音の半音の上げ下げを指定する半音指定操作子および和音のタイプを指定するタイプ指定操作子からなる補助コード指定部１６が設けられている。胴部２０の上面には、発音を指示する弦部材２１−１〜２１−６が配置されている。演奏者は、左手の人差し指、中指、薬指および小指のいずれかで幹音指定操作子１３−１〜１３−７のいずれかを操作するとともに、左手の親指で半音指定操作子およびタイプ指定操作子を操作して、和音を指定する。そして、弦部材２１−１〜２１−６を右手で操作して、指定和音を発音させる。【選択図】  図１
2005099174.tif 000002
【特許請求の範囲】
【請求項１】
楽器の外表面に設けられていて複数の音名をそれぞれ指定する複数の音名指定操作子と、
楽器の外表面に設けられていて前記音名指定操作子により指定された音名音を半音上げることまたは半音下げることを指定する半音指定操作子と、
楽器の外表面に設けられていて和音のタイプを指定するタイプ指定操作子と、
楽器の外表面に設けられていて和音の発音を指定する発音操作子とを備え、
前記音名指定操作子、半音指定操作子およびタイプ指定操作子を一方の手で同時に操作可能な位置に配置し、前記音名指定操作子および半音指定操作子によって指定された音名を根音とする和音であって、前記タイプ指定操作子によって指定されたタイプの和音を、前記発音操作子を他方の手で操作することにより発音させるようにしたことを特徴とする和音演奏楽器。
【請求項２】
前記複数の音名指定操作子は幹音をそれぞれ指定するものである請求項１に記載した和音演奏楽器。
【請求項３】
前記半音指定操作子と前記タイプ指定操作子とを一本の指で同時に操作可能な位置に配置した請求項１または２に記載した和音演奏楽器。
【請求項４】
前記半音指定操作子を前記音名指定操作子によって指定された音名音を半音上げることおよび半音下げることをそれぞれ指定する２つの操作子で構成して同2つの半音指定操作子を前記一本の指が入る程度の間隔を隔てて配置するとともに、前記タイプ指定操作子を同２つの半音指定操作子を結ぶ軸線方向の中間位置に配置したことを特徴とする請求項３に記載した和音演奏楽器。
【請求項５】
前記タイプ指定操作子を異なる和音のタイプをそれぞれ指定する２つの操作子で構成して同2つのタイプ指定操作子を前記一本の指が入る程度の間隔を隔てて配置するとともに、前記半音指定操作子を同２つのタイプ指定操作子を結ぶ軸線方向の中間位置に配置したことを特徴とする請求項３に記載した和音演奏楽器。
【発明の詳細な説明】
【技術分野】
【０００１】
本発明は、和音を演奏することが可能な和音演奏楽器に関する。
【背景技術】
【０００２】
従来から、楽器の外表面に、Eｂメジャー、Eｂマイナ、E＃メジャー、E＃マイナ、Fメジャー、Fマイナなどの２７種類の和音に対応した２７個の和音選択ボタンを設けるとともに、タッチプレートを設けておき、一方の手で和音選択ボタンを操作することにより和音を指定して、他方の手でタッチプレートを操作することにより、和音演奏を行なう和音演奏楽器は知られている。（特許文献１参照）。
【特許文献１】特公昭６３−２９７５３号公報
【０００３】
しかしながら、前記した従来例においては、一つの和音に対して一つの和音選択ボタンを設けているために、和音選択ボタンを設けるための領域を大きく必要とするので、この領域を確保できない形状の和音演奏楽器では多種類の和音を指定できない。さらに、和音選択ボタンの数が多いために、演奏操作が煩雑になるばかりでなく、製造コストが高くなるという種々の問題があった。
【発明の開示】
【０００４】
本発明は、上記問題に対処するためになされたもので、その目的は、和音指定のために小さな領域しか確保できない和音演奏楽器においても多種類の和音を指定できるとともに、和音を指定するための操作子自体の数を減らすことにより、演奏操作性が良好で、しかも低コストで製造できるようにした和音演奏楽器を提供することにある。
【０００５】
前記目的を達成するために、本発明の構成上の特徴は、楽器の外表面に設けられていて複数の音名をそれぞれ指定する複数の音名指定操作子と、楽器の外表面に設けられていて音名指定操作子により指定された音名音を半音上げることまたは半音下げることを指定する半音指定操作子と、楽器の外表面に設けられていて和音のタイプを指定するタイプ指定操作子と、楽器の外表面に設けられていて和音の発音を指定する発音操作子とを備え、音名指定操作子、半音指定操作子およびタイプ指定操作子を一方の手で同時に操作可能な位置に配置し、音名指定操作子および半音指定操作子によって指定された音名を根音とする和音であって、タイプ指定操作子によって指定されたタイプの和音を、発音操作子を他方の手で操作することにより発音させるようにしたことにある。この場合、例えば、複数の音名指定操作子を複数の幹音をそれぞれ指定するもので構成できる。また、複数の幹音とは、例えば、C，D，E，F，G，A，B音からなる７つの音名音である。
【０００６】
このように構成した本発明の特徴においては、音名指定操作子による音名指定と半音指定操作子による半音上げまたは半音下げの指定により和音の根音を指定するとともに、タイプ指定操作子により和音のタイプが指定される。したがって、音名指定操作子を７つとするとともに、半音指定操作子を2つとすれば（場合によっては、半音上げおよび半音下げのうちのいずれか一方を指定する１つの操作子でもよい）、１２音階音をそれぞれ根音とする和音を指定できる。そして、この根音の数にタイプ指定操作子により指定される和音のタイプの数を乗じた数が指定される和音の数となる。したがって、本発明の特徴によれば、和音指定のために小さな領域しか確保できない和音演奏楽器においても多種類の和音を指定できるとともに、製造コストを低減できる。
【０００７】
また、本発明の他の特徴は、半音指定操作子とタイプ指定操作子とを一本の指で同時に操作可能な位置に配置したことにある。これによれば、音名指定操作子を操作した指と異なる指で半音指定操作子とタイプ指定操作子とを操作することにより、半音上げ下げされた和音の根音（例えば、派生音からなる和音の根音）および和音のタイプが指定されるので、演奏者は容易に多種類の和音を指定可能になる。その結果、本発明の他の特徴によれば、和音演奏の演奏性が向上する。
【０００８】
例えば、半音指定操作子を音名指定操作子によって指定された音名音を半音上げることおよび半音下げることをそれぞれ指定する２つの操作子で構成して同2つの半音指定操作子を一本の指が入る程度の間隔を隔てて配置するとともに、タイプ指定操作子を同２つの半音指定操作子を結ぶ軸線方向の中間位置に配置することができる。これによれば、一本の指で、タイプ指定操作子のみを操作したり、一方の半音指定操作子とタイプ指定操作子とを同時操作したり、他方の半音指定操作子とタイプ指定操作子とを同時操作したりすることが容易になり、半音の上げ下げおよびタイプの指定が容易に行なえるようになる。
【０００９】
また、タイプ指定操作子を異なる和音のタイプをそれぞれ指定する２つの操作子で構成して同2つのタイプ指定操作子を一本の指が入る程度の間隔を隔てて配置するとともに、半音指定操作子を同２つのタイプ指定操作子を結ぶ軸線方向の中間位置に配置するようにしてもよい。これによれば、一本の指で、半音指定操作子のみを操作したり、一方のタイプ指定操作子と半音指定操作子とを同時操作したり、他方のタイプ指定操作子と半音指定操作子とを同時操作したりすることが容易になり、半音の上げ下げおよびタイプの指定が容易に行なえるようになる。
【発明を実施するための最良の形態】
【００１０】
以下、本発明の一実施形態に係る弦楽器型電子楽器について図面を用いて説明すると、図1はこの弦楽器型電子楽器の上面外観を概略的に示している。この弦楽器型電子楽器は、ギターに似た形状に構成されており、断面ほぼ方形状に形成されるとともに長尺状の棹部１０と、楕円を変形させた形状を有する平板状の胴部２０を備えている。
【００１１】
棹部１０の上面には、その先端部にて、自動リズムおよび自動演奏（すなわち、カラオケ演奏）のテンポを調整するための調整レバー１１と、自動演奏および演奏者による演奏音のピッチを調整するピッチ調整レバー１２とが並設されている。棹部１０の上面であって両レバー１１，１２と胴部２０との間には、基本コード指定部１３、表示器１４およびモード操作子１５が設けられている。基本コード指定部１３は、棹部１０の長手方向に沿った２列の幹音指定操作子１３−１，１３−２，１３−３，１３−４，１３−５，１３−６，１３−７で構成されている。これらの幹音指定操作子１３−１，１３−２，１３−３，１３−４，１３−５，１３−６，１３−７は、それぞれ幹音名A，B，C，D，E，F，Gを指定するもので、押圧式のスイッチでもタッチ式のスイッチでもよい。表示器１４は、後述する音色、自動リズム、自動演奏などを特定する番号を表示するものである。
【００１２】
モード操作子１５は、曲選択ボタン１５−１、音色選択ボタン１５−２、リズム選択ボタン１５−３、スタートボタン１５−４およびストップボタン１５−５からなる。また、モード操作子１５には、棹部１０の側面であって前記ボタン１５−１〜１５−５と棹部１０の長手方向ほぼ同一位置に配置された選択ダイヤル１５−６も含まれる。曲選択ボタン１５−１は、自動演奏の曲名を選択するためのもので、その押圧操作により内蔵の発光素子を点灯させ、この点灯状態にて選択ダイヤル１５−６を回転させることにより選択曲名が順次変更されるようになっている。音色選択ボタン１５−２は、発生楽音の音色を選択するためのもので、その押圧操作により内蔵の発光素子を点灯させ、この点灯状態にて選択ダイヤル１５−６を回転させることにより選択音色が順次変更されるようになっている。リズム選択ボタン１５−３は、自動リズムの種類（マーチ、ロックなど）を選択するためのもので、その押圧操作により内蔵の発光素子を点灯させ、この点灯状態にて選択ダイヤル１５−６を回転させることにより選択リズム種類が順次変更されるようになっている。スタートボタン１５−４は、その押圧操作により自動演奏および自動リズムの演奏を開始させる。ストップボタン１５−５は、その押圧操作により自動演奏および自動リズムの演奏を停止させる。
【００１３】
棹部１０の一側面すなわち上面に対して所定角度（例えば、ほぼ９０度）をなす一側面には、補助コード指定部１６が設けられている。この補助コード指定部１６は、図２に詳細に示すように、一対の半音指定操作子１７−１，１７−２および一対のタイプ指定操作子１８−１，１８−２からなる。なお、これらの指定操作子１７−１，１７−２，１８−１，１８−２は、タッチ式のスイッチが好ましいが、押圧式のスイッチでもよい。これらの操作子１７−１，１７−２，１８−１，１８−２の棹部１０の長手方向における中心は、前述した幹音指定操作子１３−１〜１３−７の棹部１０の長手方向における中心に対して、指１，２本分程度ずれて配置されており、左手で棹部１０を支えた状態で、人差し指、中指、薬指及び小指のいずれかで幹音指定操作子１３−１〜１３−７を操作したまま、左手の親指で指定操作子１７−１，１７−２，１８−１，１８−２を操作できるようになっている。すわわち、基本コード指定部１３を構成する幹音指定操作子１３−１〜１３−７と、補助コード指定部１６を構成する半音指定操作子１７−１，１７−２およびタイプ指定操作子１８−１，１８−２とは、一方の手で同時に操作可能な位置に配置されている。
【００１４】
半音指定操作子１７−１，１７−２は、棹部１０の長手方向（すなわち図示横方向）に所定間隔（例えば、一本の指が入る程度の間隔）を隔てて配置されている。タイプ指定操作子１８−１，１８−２は、半音指定操作子１７−１，１７−２を結ぶ軸線方向の中間位置に、図示上下方向に小さな隙間を隔てて上下に並べて配置されている。すなわち、半音指定操作子１７−１，１７−２およびタイプ指定操作子１８−１，１８−２は、一本の指で同時に操作可能な位置に配置されている。厳密には、半音指定操作子１７−１，１７−２の一方と、タイプ指定操作子１８−１，１８−２の両方を、一本の指で同時に操作可能な位置に配置されている。
【００１５】
胴部２０には、ギターの１弦、２弦・・６弦に対応させた弦部材２１−１，２１−２・・２１−６が、棹部１０の長手方向に沿ってそれぞれ延設配置されている。弦部材２１−１，２１−２〜２１−６は、硬質の線材で形成されており、弦部材２１−１〜２１−６の各両端部は胴部２０内に侵入している。そして、これらの弦部材２１−１〜２１−６の各両端部は、胴部２０内にて弾性的に揺動可能に支持されるとともに胴部２０内に設けた弾性部材により基準位置に付勢されており、弦部材２１−１〜２１−６の図１の紙面上下方向の変位を許容している。
【００１６】
これらの弦部材２１−１〜２１−６は、楽音の発生を指示するための発音操作子を構成するもので、演奏者によって図１の上下方向に変位操作（發弦操作に対応）される。そして、この操作による各弦部材２１−１〜２１−６の変位により、各弦部材２１−１〜２１−６にそれぞれ割当てられる第１〜第６楽音の発音がそれぞれ独立して指示される。また、胴部２０内には、弦部材２１−１〜２１−６の各一端部の変位量すなわち弦部材２１−１〜２１−６の変位量（揺動量）をそれぞれ検出する弦部材変位センサ２２が設けられている。
【００１７】
胴部２０の上面には、カセットメモリ装置２３、電源スイッチ２４、音量ボリューム２５およびスピーカ２６も設けられている。カセットメモリ装置２３は、胴部２０に着脱可能に組み付けられるもので、自動演奏データ、自動リズムデータなど、この弦楽器型電子楽器にて利用される各種データを記憶している。
【００１８】
次に、この弦楽器型電子楽器の一部を構成する電気回路装置について説明する。電気回路装置は、棹部１０および胴部２０内に収容されており、図３に示すように、コンピュータ装置３０、楽音信号発生部４０、アンプ２７およびスピーカ２６を備えている。コンピュータ装置３０は、ＣＰＵ、ＲＯＭ、ＲＡＭなどを主用構成部品とするもので、プログラム処理によって各種機能を実現するものである。しかし、説明を簡単にするために、このコンピュータ装置３０に関しては、各種機能を実現する機能ブロック図を用いて説明する。なお、この電気回路装置の説明においては、前述した曲選択ボタン１５−１、リズム選択ボタン１５−３、スタートボタン１５−４、ストップボタン１５−５などの操作に関係した自動演奏、自動リズム演奏などを実現する回路に関しては、本発明に直接影響しないのでその説明を省略する。
【００１９】
コンピュータ装置３０は、音色操作子検出部３１、幹音指定操作子検出部３２、半音指定操作子検出部３３、タイプ指定操作子検出部３４および弦部材操作検出部３５を備えている。音色操作子検出部３１は、前述した音色選択ボタン１５−２および選択ダイヤル１５−６の操作を検出して発生楽音の音色名を決定する。この音色操作子検出部３１によって検出された音色名は各種音色に対応した複数の音色パラメータを記憶した音色パラメータテーブル３６に供給されて、発生楽音に必要な音色パラメータを音色パラメータテーブル３６から出力させる。なお、図３においては、前記音色選択ボタン１５−２および選択ダイヤル１５−６を音色操作子１５ａとして示している。
【００２０】
幹音指定操作子検出部３２は、幹音指定操作子１３−１〜１３−７の操作を検出して、演奏者によって幹音が指定されていないこと、または演奏者によって指定された幹音名（Ａ〜Ｇのうちのいずれか一つ）を表す幹音情報を生成する。なお、半音指定操作子検出部３３は、半音指定操作子１７−１，１７−２の操作を検出して、半音上げ（半音指定操作子１７−１の操作に対応）と、半音下げ（半音指定操作子１７−２の操作に対応）と、半音上げ下げなし（半音指定操作子１７−１，１７−２のいずれも非操作に対応）とのいずれか一つを表す半音情報を生成する。タイプ指定操作子検出部３４は、タイプ指定操作子１８−１，１８−２の操作を検出して、メジャ（タイプ指定操作子１８−１，１８−２のいずれも非操作に対応）と、マイナ（タイプ指定操作子１８−１のみの操作に対応）、セブンス（タイプ指定操作子１８−２のみの操作に対応）と、マイナセブンス（タイプ指定操作子１８−１，１８−２の同時操作に対応）とのいずれか一つを表すタイプ情報を生成する。幹音指定操作子検出部３２、半音指定操作子検出部３３およびタイプ指定操作子検出部３４によってそれぞれ生成された幹音情報、半音情報およびタイプ情報は、和音構成音決定部３７に供給される。
【００２１】
和音構成音決定部３７は、前記幹音情報および半音情報に基づいて和音の根音を決定する。この和音の根音の決定においては、半音情報が半音上げ下げなしを表していれば、幹音情報が示す幹音を和音の根音とする。例えば、幹音情報がＣ音を表していれば、和音根音はＣ音となる。また、半音情報が半音上げを表していれば、幹音情報が示す幹音名よりも半音高い音を和音の根音とする。例えば、幹音情報がＣ音を表していれば、和音根音はＣ＃音となる。また、半音情報が半音下げを表していれば、幹音情報が示す幹音名よりも半音低い音を和音の根音とする。例えば、幹音情報がＣ音を表していれば、和音根音はＣｂ音（すなわちＢ音）となる。なお、幹音情報が幹音指定なしを表していれば、和音自体が指定されない。
【００２２】
また、この和音構成音決定部３７においては、和音の根音およびタイプに対応させて、和音の根音およびタイプによって指定される和音を構成する和音構成音を表す構成音情報を記憶した和音テーブル３７ａを備え、前記決定された根音および供給されたタイプ情報に対応した和音の６つの構成音を表す音名情報を弦部材２１−１〜２１−６にそれぞれ割当てて楽音信号発生部４０に出力する。具体的には、例えば、和音の根音がＣ音であれば、図４(Ａ)〜(Ｄ)に示すように、タイプ情報に応じてＣメジャ、Ｃマイナ、ＣセブンスおよびＣマイナセブンスの各和音の各6つの構成音を表す音名情報が弦部材２１−１〜２１−６にそれぞれ割当てられて楽音信号発生部４０に出力される。また、和音の根音がＣ＃音であれば、図５(Ａ)〜(Ｄ)に示すように、タイプ情報に応じてＣ＃メジャ、Ｃ＃マイナ、Ｃ＃セブンスおよびＣ＃マイナセブンスの各和音の各6つの構成音を表す音名情報が弦部材２１−１〜２１−６にそれぞれ割当てられて楽音信号発生部４０に出力される。和音の根音がＣｂ音（すなわちＢ音）であれば、図６(Ａ)〜(Ｄ)に示すように、タイプ情報に応じてＣｂメジャ（すなわちＢメジャ）、Ｃｂマイナ（すなわちＢマイナ）、Ｃｂセブンス（すなわちＢセブンス）およびＣｂマイナセブンス（すなわちＢマイナセブンス）の各和音の各6つの構成音を表す音名情報が弦部材２１−１〜２１−６にそれぞれ割当てられて楽音信号発生部４０に出力される。なお、図４〜６においては、弦部材２１−１〜２１−６に割当てられた和音構成音を、６弦ギターのフレット操作に対応させて示してある。
【００２３】
弦部材操作検出部３５は、弦部材変位センサ２２からの弦部材２１−１〜２１−６の変位量を表す検出信号に基づいて弦部材２１−１〜２１−６のうちの操作された弦部材を検出する。この場合、弦部材操作検出部３５は、前記各検出信号値と予め決めた所定の閾値とをそれぞれ比較し、各検出信号値が閾値を越えた時点で弦部材が操作されたことを検出して、同検出結果をキーオン信号として弦部材２１−１〜２１−６ごとにそれぞれ楽音信号発生部４０に供給する。この弦部材操作検出部３５には、タッチ検出部３５ａも含まれている。このタッチ検出部３５ａは、前記操作の検出された弦部材２１−１〜２１−６の変位量を表す検出信号のピーク値を検出して、同検出ピーク値を表す信号をタッチ検出信号として弦部材２１−１〜２１−６ごとにそれぞれ楽音信号発生部４０に供給する。
【００２４】
楽音信号発生部４０は、音源回路４１、エンベロープ信号発生回路４２および振幅制御回路４３からなる。音源回路４１は、６つの弦部材２１−１〜２１−６にそれぞれ対応した６つの音源チャンネルを備えている。これらの音源チャンネルは、６つの弦部材２１−１〜２１−６に対応して和音構成音決定部３７から供給される６つの音名情報によって表された音高の第１〜第６楽音信号をそれそれ形成して振幅制御回路４３に出力する。また、音源回路４１には音色パラメータテーブル３６から音色パラメータも供給されており、前記形成される第１〜第６楽音信号の音色を前記供給された音色パラメータに応じた音色（例えば、ギター音色）に設定する。
【００２５】
エンベロープ信号発生回路４２も、６つの弦部材２１−１〜２１−６にそれぞれ対応した６つのエンベロープ信号形成チャンネルを備えている。これらのエンベロープ信号形成チャンネルは、６つの弦部材２１−１〜２１−６に対応して弦部材操作検出部３５から供給されるキーオン信号およびタッチ検出信号に応じて、第１〜第６楽音信号に対する第１〜第６エンベロープ信号をそれぞれ形成して出力する。具体的には、各エンベロープ信号形成チャンネルは、キーオン信号の到来に応答して立ち上がり、タッチ検出信号に比例したアタックレベルを有するエンベロープ信号を形成して出力する。
【００２６】
なお、前記弦部材変位センサ２２を、弦部材２１−１〜２１−６の各変位により単にオフ状態からオン状態にそれぞれ変化するタッチ非検出タイプのセンサ（例えば、ドーム状スイッチ）で構成してもよい。この場合、タッチ検出部３５ａは不要となり、弦部材操作検出部３５は、弦部材２１−１〜２１−６の操作に応じてキーオンおよびキーオフ信号を発生するのみでよい。そして、エンベロープ信号発生部４２は、前記キーオン信号によってエンベロープ信号を発生するようにすればよい。また、エンベロープ信号発生部４２に音色パラメータテーブル３６からの音色パラメータを入力して、発生楽音の音色に応じたエンベロープ信号を発生させるようにしてもよい。
【００２７】
振幅制御回路４３は、各チャンネルごとに、音源回路４１から供給される第１〜第６楽音信号の振幅を、エンベロープ信号発生回路４２から供給される第１〜第６エンベロープ信号により制御して、アンプ２７およびスピーカ２６に供給する。なお、本実施形態では、これらの音源回路４１、エンベロープ信号発生回路４２および振幅制御回路４３はハード回路によって構成されているが、楽音信号発生部４０をプログラム処理によるソフト音源装置を用いて構成してプログラム処理によって第１〜第６楽音信号を形成するようにしてもよい。
【００２８】
次に、上記のように構成した実施形態の動作について説明する。まず、演奏者は、発生されるべき和音を特定するために、幹音指定操作子１３−１〜１３−７のいずれか一つを、棹部１０を支えている左手の人差し指、中指、薬指および小指のいずれか一つの指で操作して、７つの幹音のうちの一つを和音の根音として指定する。この幹音指定操作子１３−１〜１３−７の操作と同時に、左手の親指で、半音指定操作子１７−１，１７−２のいずれ一方を必要に応じて操作するとともに、タイプ指定操作子１８−１，１８−２のいずれか一方または両方を必要に応じて操作する。これにより、和音の根音およびタイプが指定され、和音構成音決定部３７は、和音の６つの構成音をそれぞれ表す第１〜第６楽音のための音名情報を弦部材２１−１〜２１−６にそれぞれ割当てて楽音信号発生部４０に出力する。
【００２９】
この和音の指定について例を上げて説明する。図２(Ａ)〜(Ｌ)の例は、幹音指定操作子１３−３が操作されて幹音としてＣ音が指定された場合の例を示している。この場合、半音指定操作子１７−１，１７−２の両方とも操作されなければ、図２(Ａ)〜(Ｄ)に示すように、和音の根音は幹音指定操作子１３−３の操作により指定されたＣ音となる。そして、タイプ指定操作子１８−１，１８−２のいずれも操作されなければ、Ｃメジャが指定される（図２(Ａ)参照）。タイプ指定操作子１８−１のみが操作されれば、Ｃマイナが指定される（図２(Ｂ)参照）。タイプ指定操作子１８−２のみが操作されれば、Ｃセブンスが指定される（図２(Ｃ)参照）。また、タイプ指定操作子１８−１，１８−２の両方が同時に操作されれば、Ｃマイナセブンスが指定される（図２(Ｄ)参照）。
【００３０】
一方、半音指定操作子１７−１が操作されれば、図２(Ｅ)〜(Ｈ)に示すように、和音の根音は幹音指定操作子１３−３の操作により指定された音名を半音上げたＣ＃音となる。そして、タイプ指定操作子１８−１，１８−２のいずれも操作されなければ、Ｃ＃メジャが指定される（図２(Ｅ)参照）。タイプ指定操作子１８−１が半音指定操作子１７−１と同時に操作されれば、Ｃ＃マイナが指定される（図２(Ｆ)参照）。タイプ指定操作子１８−２が半音指定操作子１７−２と同時に操作されれば、Ｃ＃セブンスが指定される（図２(Ｇ)参照）。また、タイプ指定操作子１８−１，１８−２の両方が半音指定操作子１７−１と同時に操作されれば、Ｃ＃マイナセブンスが指定される（図２(Ｈ)参照）。
【００３１】
また、半音指定操作子１７−２が操作されれば、図２(Ｉ)〜(Ｌ)に示すように、和音の根音は幹音指定操作子１３−３の操作により指定された音名を半音下げたＣｂ音（すなわちＢ音）となる。そして、タイプ指定操作子１８−１，１８−２のいずれも操作されなければ、Ｃｂメジャ（すなわちＢメジャ）が指定される（図２(Ｉ)参照）。タイプ指定操作子１８−１が半音指定操作子１７−２と同時に操作されれば、Ｃｂマイナ（すなわちＢマイナ）が指定される（図２(Ｊ)参照）。タイプ指定操作子１８−２が半音指定操作子１７−２と同時に操作されれば、Ｃｂセブンス（すなわちＢセブンス）が指定される（図２(Ｋ)参照）。また、タイプ指定操作子１８−１，１８−２の両方が半音指定操作子１７−２と同時に操作されれば、Ｃｂマイナセブンス（すなわちＢマイナセブンス）が指定される（図２(Ｌ)参照）。
【００３２】
そして、前記和音の根音およびタイプを指定した状態で、演奏者は、６本の弦部材２１−１〜２１−６の一つまたは複数を変位操作（發弦操作）する。この弦部材２１−１〜２１−６の操作は弦部材変位センサ２２および弦部材操作検出部３５によって検出され、弦部材操作検出部３５は、各弦部材２１−１〜２１−６の操作に応答したキーオン信号と、各弦部材２１−１〜２１−６の変位量に応じたタッチ検出信号を楽音信号発生部４０に供給する。
【００３３】
楽音信号発生部４０においては、音源回路４１が前記供給された第１〜第６楽音のための音名情報により表された音高を有する第１〜第６楽音信号を形成して出力する。このとき、音源回路４１は、前記形成される第１〜第６楽音信号の音色を音色パラメータテーブル３６から供給される音色パラメータに応じた音色に設定する。また、エンベロープ信号発生回路４２は、前記供給されたキーオン信号に同期して立ち上がり、タッチ検出信号に応じたアタックレベルを有する第１〜第６楽音のためのエンベロープ信号を振幅制御回路４３に出力する。ただし、このエンベロープ信号は、６つの弦部材２１−１〜２１−６のうちの操作された弦部材に関するもののみが出力される。
【００３４】
そして、振幅制御回路４３は、音源回路４１から供給される第１〜第６楽音信号の振幅を、エンベロープ信号発生回路４２から供給される第１〜第６エンベロープ信号により制御して、アンプ２７およびスピーカ２６に出力する。したがって、上記実施形態によれば、７つの幹音指定操作子１３−１〜１３−７からなる基本コード指定部１３と、半音指定操作子１７−１，１７−２およびタイプ指定操作子１８−１，１８−２からなる補助コード指定部１６の操作により指定される和音の構成音であって弦部材２１−１〜２１−６に割当てられた和音構成音が、弦部材２１−１〜２１−６の操作により発音される。なお、詳しい説明は省略するが、上記実施形態においては、前記和音演奏と同時に自動リズムおよび自動演奏を行なわせることができ、楽曲の豊かな演奏を楽しむことができる。
【００３５】
上記作動説明からも理解できるように、上記実施形態に係る弦楽器型電子楽器によれば、７つの幹音指定操作子１３−１〜１３−７からなる基本コード指定部１３と、半音指定操作子１７−１，１７−２およびタイプ指定操作子１８−１，１８−２からなる補助コード指定部１６が左手で同時操作可能な位置に配置され、左手だけで和音を指定し、右手で弦部材２１−１〜２１−６を操作することにより、合計４８種類の和音を演奏することができる。したがって、上記実施形態に係る弦楽器型電子楽器によれば、和音指定のために小さな領域しか確保できない楽器においても多種類の和音を指定できるとともに、製造コストを低減できる。特に、棹部１０を、その長手方向（軸方向）に短く構成しても、演奏操作性が良好で低コストで製造できる。
【００３６】
さらに、上記実施形態によれば、半音指定操作子１７−１，１７−２とタイプ指定操作子１８−１，１８−２とを一本の指で同時に操作可能な位置に配置してある。そして、半音指定操作子１７−１，１７−２を一本の指が入る程度の間隔を隔てて配置するとともに、タイプ指定操作子１８−１，１８−２を半音指定操作子１７−１，１７−２を結ぶ軸線方向の中間位置に配置している。これによれば、幹音指定操作子１３−１〜１３−７を操作する以外の一本の指（具体的には親指）で、タイプ指定操作子１８−１，１８−２のみを操作したり、一方の半音指定操作子１７−１（または１７−２）とタイプ指定操作子１８−１，１８−２とを同時操作したりすることが容易になり、半音の上げ下げおよびタイプの指定が容易に行なえるようになる。
【００３７】
以上、本発明の一実施形態について説明したが、本発明の実施にあたっては、上記実施形態に限定されるものではなく、本発明の目的を逸脱しない限りにおいて種々の変更が可能である。
【００３８】
例えば、上記実施形態においては、２つの半音指定操作子１７−１，１７−２を設けるようにしたが、半音指定操作子１７−１，１７−２としていずれか一方のみを設けるようにしてもよい。この場合、幹音指定操作子１３−１〜１３−７と半音指定操作子１７−１，１７−２の操作を工夫すれば、１２音階の各音を和音の根音として指定できる。例えば、上記例において、Ｃｂ音（すなわちＢ音）を根音とする場合には、Ｂ音に対応した幹音指定操作子１３−２を操作して、半音指定操作子１７−１，１７−２の両方とも操作しないようにすればよい。また、根音としてＣ＃音を指定する場合には、上記例に代えて、Ｄ音に対応した幹音指定操作子１３−４を操作するとともに、半音下げるための半音指定操作子１７−２を操作するようにすればよい。
【００３９】
また、上記実施形態においては、半音指定操作子１７−１，１７−２を棹部１０の側面にて棹部１０の長手方向（図示横方向）に対向させて配置するとともに、タイプ指定操作子１８−１，１８−２を棹部１０の長手方向と直交する方向（図示上下方向）に対向させて配置するようにした。しかし、これに代えて、図７に示すように、タイプ指定操作子１８−１，１８−２を棹部１０の側面にて棹部１０の長手方向（図示横方向）に対向させて配置するとともに、半音指定操作子１７−１，１７−２を棹部１０の長手方向と直交する方向（図示上下方向）に対向させて配置するようにしてもよい。そして、この場合には、タイプ指定操作子１８−１，１８−２を一本の指が入る程度の間隔を隔てて配置するとともに、半音指定操作子１７−１，１７−２を両タイプ指定操作子１８−１，１８−２を結ぶ軸線方向の中間位置に配置するようにする。これによれば、幹音指定操作子１３−１〜１３−７を操作する以外の一本の指（具体的には親指）で、半音指定操作子１７−１，１７−２のみを操作したり、一方のタイプ指定操作子１８−１（または１８−２）と半音指定操作子１７−１，１７−２とを同時操作したりすることが容易になり、半音の上げ下げおよびタイプの指定が容易に行なえるようになる。
【００４０】
また、上記実施形態においては、ギターの１弦に対応した弦部材２１−１側（図1の上側）に、Ａ，Ｂ，Ｃ，Ｄ音に対応した幹音指定操作子１３−１〜１３−４を棹部２０の先端側から胴部２０に向けて順に配置し、ギターの６弦に対応した弦部材２１−６側（図１の下側）にＥ，Ｆ，Ｇ音に対応した幹音指定操作子１３−５〜１３−７を先端側から胴部２０に向けて順に配置した。しかし、これに代えて、棹部１０の先端側から胴部２０に向けて千鳥状にＡ，Ｂ，Ｃ，Ｄ，Ｅ，Ｆ，Ｇ音に対応した幹音指定操作子を配置するようにしてもよい。また、上記実施形態の場合およびその変形例において、Ａ，Ｂ，Ｃ，Ｄ，Ｅ，Ｆ，Ｇ音の順でなく、Ｃ，Ｄ，Ｅ，Ｆ，Ｇ，Ａ，Ｂ音の順に幹音操作子を配置してもよい。いずれにしても、幹音操作子は２段の配置となっているので、棹部１０の軸方向長を短くすることができる。また、１段目（図1の上側）に４つの幹音操作子を配置するとともに、２段目（図1の下側）に３つの幹音操作子を配置しているので、小指の短い人でも、２段目の幹音操作子の操作に対して小指を使用する必要がなく、幹音の指定が容易である。
【００４１】
また、上記実施形態においては、６弦ギターに対応させて、６つの弦部材２１−１〜２１−６を設けるようにしたが、弦部材の数は「６」以外の数であってもよい。また、弦楽器型電子楽器の形状をギター形状に似せて構成したが、同電子楽器の形状をマンドリン、バイオリン、チェロなどの他の弦楽器形状に似せて構成してもよい。また、この発明は、ウクレレ、ハープなどの伴奏用楽器に効果的に代用できるので、そのような形状に構成してもよい。発音操作子としての弦部材２１−１〜２１−６に代えて、例えば演奏者の手動操作により振動する弦、バイオリンのように弓によって振動する弦などの他の部材を採用することもできる。なお、このような弦の振動を利用する場合には、同弦の振動をピックアップして楽音信号の発生制御に用いるようにするとよい。さらに、本発明は、弦楽器型電子楽器に限らず、あらゆる形状の電子楽器にも適用できる。
【図面の簡単な説明】
【００４２】
【図１】本発明の一実施形態に係る弦楽器型電子楽器の上面外観図である。
【図２】図１の補助コード指定部の拡大図である。
【図３】図１の弦楽器型電子楽器の電気回路装置を示すブロック図である。
【図４】(Ａ)〜(Ｄ)は、Ｃメジャ、Ｃマイナ、ＣセブンスおよびＣマイナセブンスの各和音の構成音の弦部材に対する割当てを説明するための図である。
【図５】(Ａ)〜(Ｄ)は、Ｃ＃メジャ、Ｃ＃マイナ、Ｃ＃セブンスおよびＣ＃マイナセブンス和音の構成音の弦部材に対する割当てを説明するための図である。
【図６】(Ａ)〜(Ｄ)は、Ｃｂ(Ｂ)メジャ、Ｃｂ(Ｂ)マイナ、Ｃｂ(Ｂ)セブンスおよびＣｂ(Ｂ)マイナセブンス和音の構成音の弦部材に対する割当てを説明するための図である。
【図７】前記実施形態の変形例に係る補助コード指定部の拡大図である。
【符号の説明】
【００４３】
１０…棹部、１３…基本コード指定部、１３−１〜１３−７…幹音指定操作子、１６…補助コード指定部、１７…半音指定操作子、１８…タイプ指定操作子、２０…胴部、２１−１〜２１−６…弦部材、２２…弦部材変位センサ、３０…コンピュータ装置、４０…楽音信号発生部、４１…音源回路
【図１】
2005099174.tif 000003
【図２】
2005099174.tif 000004
【図３】
2005099174.tif 000005
【図４】
2005099174.tif 000006
【図５】
2005099174.tif 000007
【図６】
2005099174.tif 000008
【図７】
2005099174.tif 000009